(57)【特許請求の範囲】
【請求項１】
負荷分布検出手段により検出する空調対象域の負荷分布に基づいて、前記空調対象域を互いに負荷状態に差のある複数の負荷領域に自動的に区分し、かつ、この区分において同一の負荷領域に担当区域を有する空調機器を、その同一の負荷領域に位置する空調状態検出器の検出情報に基づいて空調動作させるように、前記空調対象域に各々の担当区域を有する複数の前記空調機器と、前記空調対象域に分散配置した複数の前記空調状態検出器との連係の組み合わせ関係を自動的に切り換える制御手段を設けてある空調システム。
【請求項２】
負荷分布検出手段により検出する空調対象域の負荷分布に基づいて、前記空調対象域を互いに負荷状態に差のある複数の負荷領域に自動的に区分し、かつ、この区分において同一の負荷領域に担当区域を有する空調機器を、その同一の負荷領域に位置する遠隔操作器からの指令に基づいて空調動作させるように、前記空調対象域に各々の担当区域を有する複数の前記空調機器と、前記空調対象域に分散配置した複数の前記遠隔操作器との連係の組み合わせ関係を自動的に切り換える制御手段を設けた空調システム。
【請求項３】
前記制御手段は、負荷領域の夫々に一つの前記空調状態検出器又は一つの前記遠隔操作器が存在するように、負荷領域の区分を行う構成としてある請求項１又は２記載の空調システム。
【請求項４】
前記制御手段は、負荷領域の区分において、一つの負荷領域に二以上の前記空調状態検出器又は二以上の前記遠隔操作器が重複して存在するとき、これら重複する前記空調状態検出器又は重複する前記遠隔操作器の中から、前記空調機器と連係させる代表の一つの前記空調状態検出器又は代表の一つの前記遠隔操作器を自動的に選択する構成としてある請求項１又は２記載の空調システム。
【請求項５】
前記空調状態検出器又は前記遠隔操作器は、検出情報又は指令を無線信号により前記空調機器の側に送る構成とし、
前記制御手段は、負荷領域の区分において、前記空調状態検出器又は前記遠隔操作器が存在しない負荷領域があるとき、その負荷領域へ余剰の前記空調状態検出器又は余剰の前記遠隔操作器を移動することを管理者に促す報知を行う構成としてある請求項１、２又は４記載の空調システム。
【発明の詳細な説明】
【０００１】
【発明の属する技術分野】
本発明は、空調対象域内の各担当区域を空調する複数の空調機器と、空調対象域内の各所に配置されて、その配置箇所の空調状態を検出する複数の空調状態検出器（又は、各配置箇所から空調機器の操作を行う複数の遠隔操作器）とを設け、空調機器の夫々を、空調状態検出器（又は遠隔操作器）のうち各々の空調機器と連係させた対応検出器の検出情報（又は、対応遠隔操作器からの指令）に基づいて空調動作させる空調システムに関する。
【０００２】
【従来の技術】
従来、この種の空調システムでは、上記した複数の空調機器と複数の空調状態検出器（又は複数の遠隔操作器）との連係の組み合わせ関係、すなわち、各空調機器をいずれの空調状態検出器と連係させるか（又は、いずれの遠隔操作器と連係させるか）の組み合わせ関係は固定となっていた。
【０００３】
しかし、この従来システムでは、空調対象域の負荷分布が変化したとき、換言すれば、空調対象域内で互いに負荷状態に差のある負荷領域の分布が変化したとき（例えば、図１に示す負荷領域Ｚ１〜Ｚ４の分布から図３に示す負荷領域Ｚ１〜Ｚ４の分布に変化したとき）、空調機器Ｖのあるもの（例えば、図３においてｋ１やｋ２を付した空調機器Ｖ）について、それまでは担当区域ｘが存在する負荷領域と同一の負荷領域に位置する空調状態検出器ａ１〜ａ４（又は遠隔操作器ｂ１〜ｂ４）と適正な連係関係にあったものが、この負荷領域Ｚ１〜Ｚ４の分布の変化の為に、新たな負荷領域分布において、担当区域ｘが存在する負荷領域とは別の負荷領域に位置する空調状態検出器ａ１〜ａ４（又は遠隔操作器ｂ１〜ｂ４）と連係するものとなってしまい、この為に、適切な空調を行えなくなる問題があった。
【０００４】
そこで、この問題に対処するため、本願出願人は、空調機器Ｖの各々をいずれの空調状態検出器ａ１〜ａ４（又は、いずれの遠隔操作器ｂ１〜ｂ４）と連係させるかの組み合わせ関係を、管理者が指定操作器で適宜指定する組み合わせ関係に応じて自動的に切り換えるものを先に提案した（特願平８−６５６７７号参照）。
【０００５】
【発明が解決しようとする課題】
本発明の主たる課題は、上記した先の提案システムから更に改良を加えることにより、負荷分布の変化に対する対応性に一層優れた空調システムを提供する点にある。
【０００６】
【課題を解決するための手段】
〔１〕請求項１記載の発明では、空調対象域の負荷分布を負荷分布検出手段により検出する。そして、この検出した負荷分布に基づき、制御手段により、空調対象域を互いに負荷状態に差のある複数の負荷領域に自動的に区分し、さらにまた、この区分において同一の負荷領域に担当区域を有する空調機器を、その同一の負荷領域に位置する空調状態検出器の検出情報に基づいて空調動作させるように、空調対象域に各々の担当区域を有する複数の空調機器と、空調対象域に分散配置した複数の空調状態検出器との連係の組み合わせ関係を制御手段により自動的に切り換える。
【０００７】
すなわち、請求項１記載の発明によれば、空調対象域の負荷分布が変化して負荷領域の分布が変化することに対し、管理者による新たな負荷領域の分布の判断や、その判断に基づく空調機器と空調状態検出器との新たな組み合わせ関係の指定操作といったことを必要とせず自動的に、変化後の新たな負荷領域分布に的確に対応させて、空調機器の各々を、担当区域が存在する負荷領域と同一の負荷領域に位置する空調状態検出器の検出情報に基づき適切に空調動作させることができ、この点で、負荷分布の変化に対する対応性に極めて優れた空調システムとすることができる。
【０００８】
〔２〕請求項２記載の発明では、空調対象域の負荷分布を負荷分布検出手段により検出する。そして、この検出した負荷分布に基づき、制御手段により、空調対象域を互いに負荷状態に差のある複数の負荷領域に自動的に区分し、さらにまた、この区分において同一の負荷領域に担当区域を有する空調機器を、その同一の負荷領域に位置する遠隔操作器からの指令に基づいて空調動作させるように、空調対象域に各々の担当区域を有する複数の空調機器と、空調対象域に分散配置した複数の遠隔操作器との連係の組み合わせ関係を制御手段により自動的に切り換える。
【０００９】
すなわち、請求項２記載の発明によれば、空調対象域の負荷分布が変化して負荷領域の分布が変化することに対し、管理者による新たな負荷領域の分布の判断や、その判断に基づく空調機器と遠隔操作器との新たな組み合わせ関係の指定操作といったことを必要とせず自動的に、変化後の新たな負荷領域分布に的確に対応させて、空調機器の各々を、担当区域が存在する負荷領域と同一の負荷領域に位置する遠隔操作器からの指令に基づき適切に空調動作させることができ、この点で、負荷分布の変化に対する対応性に極めて優れた空調システムとすることができる。
【００１０】
〔３〕請求項３記載の発明では、前記した請求項１又は２記載の発明の実施において、検出した負荷分布に基づき制御手段により空調対象域を複数の負荷領域に自動的に区分するのに、負荷領域の夫々に一つの空調状態検出器又は一つの遠隔操作器が存在するように、負荷領域の区分を行わせる。
【００１１】
すなわち、負荷領域の区分を厳密に行う場合、空調状態検出器又は遠隔操作器が領域内に存在しない負荷領域が生じたり、逆に、二以上の空調状態検出器又は二以上の遠隔操作器が同一領域内に存在する負荷領域が生じる可能性もあるが、上記の如く、負荷領域の夫々に一つの空調状態検出器又は一つの遠隔操作器を存在させるという制約条件（換言すれば、区分の基準を緩和した条件）の下で、負荷領域の区分を行わせることにより、この区分に基づく空調機器と空調状態検出器との組み合わせ関係の自動切り換え、又は、空調機器と遠隔操作器との組み合わせ関係の自動切り換えにおいて、その切り換えの制御上、各負荷領域に担当区域を有する空調機器を一つの空調状態検出器又は一つの遠隔操作器と的確かつ単純に連係させることができるようにし、これにより、負荷領域の分布の変化に伴う上記組み合わせ関係の自動切り換えが常に円滑に行われるようにする。
【００１２】
〔４〕請求項４記載の発明では、前記した請求項１又は２記載の発明の実施において、制御手段による負荷領域の自動区分の結果、一つの負荷領域に二以上の空調状態検出器又は二以上の遠隔操作器が重複して存在する場合には、これら重複する空調状態検出器又は重複する遠隔操作器の中から、空調機器と連係させる代表の一つの空調状態検出器又は代表の一つの遠隔操作器を自動的に選択させ、この選択した代表の一つの空調状態検出器又は代表の一つの遠隔操作器を、それと同一の負荷領域に担当区域を有する空調機器と連係させる。
【００１３】
すなわち、一つの負荷領域に二以上の空調状態検出器又は二以上の遠隔操作器が重複して存在することを許して制御手段に負荷領域の区分を行わせることにより、負荷状態がほぼ同一の領域については空調状態検出器又は遠隔操作器の重複存在にかかわらず同一の負荷領域とするようにする。そして、これら重複する空調状態検出器の中から選択した代表の一つの空調状態検出器又は重複する遠隔操作器の中から選択した代表の一つの遠隔操作器を、上記同一の負荷領域に担当区域を有する空調機器の夫々と連係させるようにすることで、負荷状態がほぼ同一の領域に担当区域を有する空調機器についてはそれらの空調動作を統一するようにし、これにより、負荷状態がほぼ同一の領域に各々の担当区域を有する空調機器であるにもかかわらず、互いに異なる空調状態検出器又は互いに異なる遠隔操作器との連係の為に互いの空調動作に差を生じるといった不円滑な運転状態の発生を防止する。
【００１４】
〔５〕請求項５記載の発明では、前記した請求項１、２又は４記載の発明の実施において、空調状態検出器又は遠隔操作器は、検出情報又は指令を無線信号により空調機器の側に送るものとする。そして、制御手段による負荷領域の自動区分において、空調状態検出器又は遠隔操作器が存在しない負荷領域がある場合には、制御手段による報知をもって、その負荷領域へ余剰の空調状態検出器又は余剰の遠隔操作器を移動することを管理者に促すようにする。
【００１５】
すなわち、空調状態検出器又は遠隔操作器が存在しない負荷領域が生じることを許して制御手段に負荷領域の区分を行わせることにより、負荷状態の差に厳密に従って負荷領域の区分を行えるようにする。そして、空調状態検出器又は遠隔操作器を無線式にすることにより、また、空調状態検出器又は遠隔操作器が存在しない負荷領域が生じた場合には、制御手段による報知をもって、その負荷領域へ余剰の空調状態検出器又は余剰の遠隔操作器を移動することを管理者に促すようにすることにより、その報知に従って管理者が余剰の空調状態検出器又は余剰の遠隔操作器を、空調状態検出器又は遠隔操作器が不存の負荷領域に容易に移動できるようにして、その負荷領域に担当区域を有する空調機器を、その移動した空調状態検出器の検出情報に基づき、又は、移動した遠隔操作器からの指令に基づき適切に空調動作させ得るようにし、これにより、負荷分布の変化に対する対応性の一層の向上、及び、負荷状態の差に厳密に従って各空調機器を適切に空調動作させる空調精度の一層の向上を可能にする。
【００１６】
【発明の実施の形態】
〔第１実施形態〕
図１及び図２は、変風量装置を用いた空調システムを示し、主給気風路１から分岐給気風路２を介して空調対象域３（例えば、オフィスビルにおける一つのフロアなど）の域内における各区域ｘに温調空気を分配供給する構成において、これら区域ｘの各々に対応させて設けた変風量装置Ｖにより、各区域ｘに対する温調空気の供給風量を個別に自動調整する。
【００１７】
Ｃ１〜Ｃ４は空調対象域３の域内に分散配置した複数の端末器、５は統括制御器であり、各端末器Ｃ１〜Ｃ４には、設置箇所の域内温度を検出する温度検出部ａ１〜ａ４と変風量装置Ｖに対する遠隔操作部ｂ１〜ｂ４とを装備し、これに対し、統括制御器５には、各端末器Ｃ１〜Ｃ４から無線信号で送信される情報ｓ１〜ｓ４（すなわち、検出温度や操作指令）を受信して、この受信情報ｓ１〜ｓ４を、後述の連係設定部５ｃにより設定された端末器Ｃ１〜Ｃ４と変風量装置Ｖとの連係の組み合わせ関係に従い、端末器Ｃ１からの送信情報ｓ１については端末器Ｃ１と連係関係にある変風量装置Ｖに伝送し、また、端末器Ｃ２からの送信情報ｓ２については端末器Ｃ２と連係関係にある変風量装置Ｖに伝送するといった形態で、各変風量装置Ｖへ通信線６を介して有線信号で分配伝送する中継部５ａを装備してある。
【００１８】
変風量装置Ｖは、連係関係にある端末器Ｃ１〜Ｃ４からの送信情報ｓ１〜ｓ４に基づく具体的空調動作として、温度検出部ａ１〜ａ４による検出温度と目標温度との偏差を減少させるように、風路開度の調整により担当区域ｘへの温調空気の供給風量を自動調整し、また、遠隔操作部ｂ１〜ｂ４からの操作指令の一つとしての目標温度変更指令に応じ上記目標温度の変更を行い、さらにまた、遠隔操作部ｂ１〜ｂ４からの供給停止指令や風量固定指令に応じ、上記の検出温度に基づく風量調整に優先して、風路開度の調整により担当区域ｘへの温調空気供給を停止したり、供給風量を指定された風量に固定することを行う。
【００１９】
なお、統括制御器５における中継部５ａは、各変風量装置Ｖからその運転状態の情報を通信線６を介し有線信号で収集して、この収集情報を、前記の連係組み合わせ関係に従い、各変風量装置Ｖと連係関係にある対応の端末器Ｃ１〜Ｃ４へ無線信号で送信する機能も有し、各端末器Ｃ１〜Ｃ４では、この中継部５ａからの送信情報を受信して、連係関係にある変風量装置Ｖの運転状態を表示するようにしてある。
【００２０】
一方、７は空調対象域３内の人員分布を検出する監視カメラであり、これに対し、統括制御器５には、これら監視カメラ７により検出される人員分布から空調対象域３における空調負荷の分布状態を判定して、その判定結果から図１に示す如く空調対象域３を互いに負荷状態に差のある複数の負荷領域Ｚ１〜Ｚ４に自動的に区分する負荷領域設定部５ｂ、及び、この負荷領域設定部５ｂによる負荷領域Ｚ１〜Ｚ４の区分に応じて、同一の負荷領域Ｚ１〜Ｚ４に担当区域ｘを有する変風量装置Ｖを、その同一の負荷領域Ｚ１〜Ｚ４に位置する端末器Ｃ１〜Ｃ４と連係させるように、変風量装置Ｖと端末器Ｃ１〜Ｃ４との連係の組み合わせ関係を自動的に切り換え設定する連係設定部５ｃを装備してある。
【００２１】
つまり、図１において各変風量装置Ｖを示す図形に付した〈  〉内の番号は、その変風量装置Ｖが、いずれの端末器Ｃ１〜Ｃ４と連係関係にあるかを示すものであり、例えば、〈２〉は端末器Ｃ２との連係を、また、〈３〉は端末器Ｃ３との連係を示し、負荷領域設定部５ｂによる負荷領域Ｚ１〜Ｚ４の区分が同図１に示す区分状態であることに対し、連係設定部５ｃによる上記連係組み合わせ関係の切り換え設定の結果として、負荷領域Ｚ１に担当区域ｘを有する変風量装置Ｖは端末器Ｃ１と、また、負荷領域Ｚ２に担当区域ｘを有する変風量装置Ｖは端末器Ｃ２と、また、負荷領域Ｚ３に担当区域ｘを有する変風量装置Ｖは端末器Ｃ３と、また、負荷領域Ｚ４に担当区域ｘを有する変風量装置Ｖは端末器Ｃ４と、夫々連係関係を有するものとなっている。
【００２２】
これに対し、空調対象域３における人員分布が変化して空調負荷の分布状態が変化し、これに応じ、負荷領域設定部５ｂによる負荷領域Ｚ１〜Ｚ４の区分が図３に示す如き区分状態に変更されると、連係設定部５ｃによる連係組み合わせ関係の切り換え設定として、同図３中で（ｋ１）を付した変風量装置Ｖの夫々が、それまでの端末器Ｃ４との連係〈４〉から端末器Ｃ２との連係〈２〉に、また、（ｋ２）を付した変風量装置Ｖの夫々が、それまでの端末器Ｃ１との連係〈１〉から端末器Ｃ３との連係〈３〉に切り換えられ、これにより、空調負荷の分布変化で負荷領域Ｚ１〜Ｚ４の分布が変化することに対しても、各変風量装置Ｖを、その担当区域ｘの属する負荷領域Ｚ１〜Ｚ４と同一の負荷領域Ｚ１〜Ｚ４に位置する端末器Ｃ１〜Ｃ４からの送信情報ｓ１〜ｓ４に基づき適切に空調動作させる状態を自動的に保つようにしてある。
【００２３】
５ｄは空調対象域３内における各端末器Ｃ１〜Ｃ４の設置位置を管理者が登録操作する端末器配置設定器であり、前記の連係設定部５ｃは、端末器配置設定器５ｄにより登録された各端末器Ｃ１〜Ｃ４の設置位置に従って、負荷領域設定部５ｂによる負荷領域Ｚ１〜Ｚ４の区分に対し、各変風量装置Ｖを、その担当区域ｘの属する負荷領域Ｚ１〜Ｚ４と同一の負荷領域Ｚ１〜Ｚ４に位置する端末器Ｃ１〜Ｃ４と連係させるように、連係組み合わせ関係の切り換え設定を行う構成としてある。
【００２４】
また、本第１実施形態においては、人員分布検出に基づき判定する空調負荷の分布に応じて負荷領域Ｚ１〜Ｚ４の区分を行わせるにあたり、負荷領域設定部５ｂは、基本的には、負荷領域Ｚ１〜Ｚ４の各々に一つの端末器Ｃ１〜Ｃ４が存在するように、端末器配置設定器５ｄによる各端末器Ｃ１〜Ｃ４の登録設置位置も領域区分のための情報として合わせ用いながら負荷領域Ｚ１〜Ｚ４の区分を行う構成としてあるが、空調負荷の分布に応じた負荷領域区分を行うことにおいて、各端末器Ｃ１〜Ｃ４の登録設置位置が所定の許容限度以上に不適当である場合には、端末器Ｃ１〜Ｃ４を適切な設置位置に移動することの要を、その適切設置位置の指示、及び、移動すべき端末器Ｃ１〜Ｃ４の指示とともに、報知器５ｅにより管理者に報知するようにしてある。
【００２５】
〔第２実施形態〕
前記の第１実施形態では、負荷領域設定部５ｂは、基本的には、負荷領域Ｚ１〜Ｚ４の各々に一つの端末器Ｃ１〜Ｃ４が存在するように負荷領域Ｚ１〜Ｚ４の区分を行う構成としたが、これに代え、本第２実施形態では、負荷領域設定部５ｂは、負荷領域Ｚ１〜Ｚ４の領域数の減少を伴う形態で、一つの負荷領域Ｚ１〜Ｚ４に二以上の端末器Ｃ１〜Ｃ４が存在するようになることを許して、各負荷領域Ｚ１〜Ｚ４に少なくとも一つの端末器Ｃ１〜Ｃ４が存在するように、空調負荷の分布、及び、各端末器Ｃ１〜Ｃ４の登録設置位置に応じて負荷領域Ｚ１〜Ｚ４の区分を行う構成とする。
【００２６】
また、この領域区分において、一つの負荷領域Ｚ１〜Ｚ４に二以上の端末器Ｃ１〜Ｃ４が重複して存在することとなった場合、負荷領域設定部５ｂは、これら重複する端末器Ｃ１〜Ｃ４の中から、変風量装置Ｖと連係させるべき代表の一つの端末器Ｃ１〜Ｃ４を所定の選択条件により自動的に選択する構成とする。
【００２７】
すなわち、前記の図１に示す負荷領域Ｚ１〜Ｚ４の区分状態から人員分布が変化して空調負荷の分布状態が変化した際、これに応じた負荷領域設定部５ｂによる新たな負荷領域区分として、図４に示す如き負荷領域の領域数の減少を伴う形態で二つの端末器Ｃ２，Ｃ４が負荷領域Ｚ４に重複して存在するような領域区分が許容される。そして、この領域区分において、負荷領域設定部５ｂが、負荷領域Ｚ４における重複端末器Ｃ２，Ｃ４のうち端末器Ｃ４を代表の一つの端末器として選択すると、連係設定部５ｃによる連係組み合わせ関係の切り換え設定として、同図４中で（ｋ３）を付した変風量装置Ｖの夫々が、それまでの端末器Ｃ２との連係〈２〉から端末器Ｃ４との連係〈４〉に、また、（ｋ４）を付した変風量装置Ｖの夫々が、それまでの端末器Ｃ１との連係〈１〉から端末器Ｃ３との連係〈３〉に切り換えられる。
【００２８】
なお、本第２実施形態においても、負荷領域設定部５ｂは、空調負荷の分布に応じた負荷領域区分において、各端末器Ｃ１〜Ｃ４の登録設置位置が所定の許容限度以上に不適当である場合には、端末器Ｃ１〜Ｃ４を適切な設置位置に移動することの要を、その適切設置位置の指示、及び、移動すべき端末器Ｃ１〜Ｃ４の指示とともに、報知器５ｅにより管理者に対し報知する構成としてある。
【００２９】
〔第３実施形態〕
本第３実施形態では、負荷領域設定部５ｂは、負荷領域Ｚ１〜Ｚ４の領域数が増減すること、二以上の端末器Ｃ１〜Ｃ４が重複して存在する負荷領域Ｚ１〜Ｚ４が生じること、並びに、端末器Ｃ１〜Ｃ４が存在しない負荷領域Ｚ１〜Ｚ４が生じることの夫々を許して、空調負荷の分布に応じ負荷領域Ｚ１〜Ｚ４の区分を行う構成とする。
【００３０】
そして、この領域区分において、一つの負荷領域Ｚ１〜Ｚ４に二以上の端末器Ｃ１〜Ｃ４が重複して存在することとなった場合には、前記の第２実施形態と同様、負荷領域設定部５ｂは、これら重複する端末器Ｃ１〜Ｃ４の中から、所定の選択条件に照らし変風量装置Ｖと連係させるべき代表の一つの端末器Ｃ１〜Ｃ４を自動的に選択する構成とし、また、端末器Ｃ１〜Ｃ４が存在しない負荷領域Ｚ１〜Ｚ４（Ｚ５）が生じた場合には、負荷領域設定部５ｂは、その端末器不存の負荷領域Ｚ１〜Ｚ４（Ｚ５）に余剰の端末器（予備の端末器Ｃ５、あるいは、重複端末器のうち選択から漏れたもの）を移動することの要を、適切設置位置の指示、及び、移動すべき端末器Ｃ１〜Ｃ４（Ｃ５）の指示とともに、報知器５ｅにより管理者に対し報知する構成とする。
【００３１】
すなわち、前記の図１に示す負荷領域Ｚ１〜Ｚ４の区分状態から人員分布が変化して空調負荷の分布状態が変化した際、これに応じた負荷領域設定部５ｂによる新たな負荷領域区分として、図５に示す如き負荷領域の領域数の増加を伴う形態で端末器不存の負荷領域Ｚ５が生じるような領域区分が許容される。そして、この領域区分において、報知器５ｅによる報知に応じ予備の端末器Ｃ５が端末器不存の負荷領域Ｚ５に移動設定されると、連係設定部５ｃによる連係組み合わせ関係の切り換え設定として、同図５中で（ｋ５）を付した変風量装置Ｖの夫々が、それまでの端末器Ｃ４との連係〈４〉から端末器Ｃ５との連係〈５〉に、また、（ｋ６）を付した変風量装置Ｖの夫々が、それまでの端末器Ｃ１との連係〈１〉から端末器Ｃ３との連係〈３〉に切り換えられる。
【００３２】
以上要するに、前記した第１〜第３実施形態においては、変風量装置Ｖが、空調対象域３内に各々の担当区域ｘを有する空調機器であり、端末器Ｃ１〜Ｃ４における温度検出部ａ１〜ａ４が、空調対象域３内に分散配置した空調状態検出器であり、端末器Ｃ１〜Ｃ４における遠隔操作部ｂ１〜ｂ４が、空調対象域３内に分散配置した遠隔操作器である。
【００３３】
そして、監視カメラ７、及び、負荷領域設定部５ｂは、空調対象域３の負荷分布を検出する負荷分布検出手段Ｐを構成し、負荷領域設定部５ｂ、連係設定部５ｃ、及び、中継部５ａは、負荷分布検出手段Ｐにより検出する空調対象域３の負荷分布に基づいて、空調対象域３を互いに負荷状態に差のある複数の負荷領域Ｚ１〜Ｚ４に自動的に区分し、かつ、この区分において同一の負荷領域Ｚ１〜Ｚ４に担当区域ｘを有する空調機器Ｖを、その同一の負荷領域Ｚ１〜Ｚ４に位置する空調状態検出器ａ１〜ａ４の検出情報、又は、その同一の負荷領域Ｚ１〜Ｚ４に位置する遠隔操作器ｂ１〜ｂ４からの指令に基づいて空調動作させるように、空調対象域３に各々の担当区域ｘを有する複数の空調機器Ｖと、空調対象域３に分散配置した複数の空調状態検出器ａ１〜ａ４又は遠隔操作器ｂ１〜ｂ４との連係の組み合わせ関係を自動的に切り換える制御手段Ｑを構成する。
【００３４】
また、第１実施形態では、上記制御手段Ｑは、基本的に負荷領域Ｚ１〜Ｚ４の夫々に一つの空調状態検出器ａ１〜ａ４又は一つの遠隔操作器ｂ１〜ｂ４が存在するように、負荷領域Ｚ１〜Ｚ４の区分を行う構成としてあり、第２実施形態では、上記制御手段Ｑは、負荷領域Ｚ１〜Ｚ４の区分において、一つの負荷領域Ｚ１〜Ｚ４に二以上の空調状態検出器ａ１〜ａ４又は二以上の遠隔操作器ｂ１〜ｂ４が重複して存在するとき、これら重複する空調状態検出器ａ１〜ａ４又は重複する遠隔操作器ｂ１〜ｂ４の中から、空調機器Ｖと連係させる代表の一つの空調状態検出器ａ１〜ａ４又は代表の一つの遠隔操作器ｂ１〜ｂ４を自動的に選択する構成としてあり、第３実施形態では、空調状態検出器ａ１〜ａ４又は遠隔操作器ｂ１〜ｂ４を、検出情報又は指令を無線信号により空調機器Ｖの側に送る構成とするのに対し、上記制御手段Ｑは、負荷領域Ｚ１〜Ｚ５の区分において、空調状態検出器ａ１〜ａ４又は遠隔操作器ｂ１〜ｂ４が存在しない負荷領域Ｚ１〜Ｚ５があるとき、その負荷領域Ｚ１〜Ｚ５へ余剰の空調状態検出器ａ１〜ａ５又は余剰の遠隔操作器ｂ１〜ｂ５を移動することを管理者に促す報知を行う構成としてある。
【００３５】
〔別の実施形態〕
次に発明の別の実施形態を列記する。
前記の第１〜第３実施形態では、各端末器Ｃ１〜Ｃ４から統括制御器５への情報送信を無線式とし、かつ、統括制御器５から各変風量装置Ｖへの情報の分配送信を有線式としたが、これに代え、各端末器Ｃ１〜Ｃ４から統括制御器５を介して行う各変風量装置Ｖへの情報送信を全て無線式で行う、あるいは逆に、全て有線式で行うようにしてもよい。
【００３６】
前記の第１〜第３実施形態では、変風量装置Ｖを連係関係切り換え対象の空調機器とする場合を示したが、連係関係の切り換え対象とする空調機器は、変風量装置に限定されるものではなく、空調対象域３内に各々の担当区域ｘを有する複数のものであれば、ファンコイルユニット、放射パネル、ヒートポンプ式エアコンの室内器、加湿器、除湿器、換気ファン等々、どのような空調機器であってもよい。
【００３７】
前記の第１〜第３実施形態では、空調状態検出器ａ１〜ａ４と遠隔操作器ｂ１〜ｂ４とを兼ねる端末器Ｃ１〜Ｃ４を空調機器Ｖと連係させる場合を示したが、空調機器Ｖと連係させるものは、温度、湿度、ガス濃度などの空調状態を検出する空調状態検出器ａ１〜ａ５のみであってもよく、また、各々の配置箇所から空調機器操作を行う遠隔操作ｂ１〜ｂ５のみであってもよい。
【００３８】
前記の第１〜第３実施形態では、監視カメラ７により検出する人員分布から空調対象域３の負荷分布を判定するようにしたが、空調対象域３における負荷分布の検出には、種々の検出方式を採用でき、例えば、赤外線検出カメラにより空調対象域３における温度分布を検出して、この検出温度分布から負荷分布を判定するような方式を採用してもよい。なお、この場合、検出した温度分布に対し空調機器Ｖの運転状態に応じた補正を加えて、負荷分布を判定する構成とするのがよい。
【００３９】
空調対象域３は、オフィスビルにおける一つのフロア、イベントホール、あるいは、工場など、どのような用途のものであってもよい。
【図面の簡単な説明】
【図１】空調対象域の平面図
【図２】空調対象域の側面図
【図３】負荷分布が変化した後を示す空調対象域の平面図
【図４】第２実施形態について、負荷分布が変化した後を示す空調対象域の平面図
【図５】第３実施形態について、負荷分布が変化した後を示す空調対象域の平面図
【符号の説明】
Ｐ                  負荷分布検出手段
３                  空調対象域
Ｚ１〜Ｚ５          負荷領域
ｘ                  担当区域
Ｖ                  空調機器
ａ１〜ａ５          空調状態検出器
Ｑ                  制御手段
ｂ１〜ｂ５          遠隔操作器
【図１】
0003859293.tif 000002
【図２】
0003859293.tif 000003
【図３】
0003859293.tif 000004
【図４】
0003859293.tif 000005
【図５】
0003859293.tif 000006